(57)【要約】      （修正有）【課題】落書き区域や消しゴム収納空間を設置した子供用筆収納バックを提供する。【解決手段】バッグ本体１３を含み、前記バッグ本体の前側端面には書き箱２０が固定的に装着され、前記書き箱の中には児童が書ける書き機構７０が設けられ、前記書き機構は前記書き箱の中に設置される回転チャンバ１９を含み、前記書き箱の下方には書きチャンバが連通して設けられ、書き機構に付箋２７を置け、子供は通し溝を通じて付箋に落書きでき、バッグが落書きされて見にくくなったり捨てられたりすることを防止し、付箋を入れ替えることができ、置き機構を設置することで消しゴムの収納空間を提供し、筆に塗られることを避ける上に、長い筆と短い筆を区分しておる。【選択図】図１
2020137978.tif 000002
【特許請求の範囲】
【請求項１】
バッグ本体を含み、前記バッグ本体の前側端面には書き箱が固定的に装着され、前記書き箱の中には児童が書ける書き機構が設けられ、前記書き機構は前記書き箱の中に設置される回転チャンバを含み、前記書き箱の下方には書きチャンバが連通して設けられ、前記回転チャンバの左右内壁の間には回転ロッドが回転できるように係合装着され、前記回転ロッドには蓋板が固定的に装着され、前記書きチャンバの中には書ける付箋が置かれ、前記蓋板が付箋を覆い、前記バッグ本体の中にはバッグチャンバが設けられ、前記バッグチャンバの中には文房具を置ける置き機構が設けられ、前記置き機構は前記バッグチャンバの内壁に前後に対称的且つ固定的に装着される固定板を含み、前記固定板の中に三つの固定穴が設けられ、前記固定板の右側には六つの位置制限布が前後に対称的且つ固定的に装着され、前記位置制限布の中には位置制限穴が設けられ、前記位置制限布の右側には二つの支持箱が前後に対称的且つ固定的に装着され、前記支持箱の中には三つの支持穴が設けれ、前記支持穴と前記位置制限穴と前記固定穴との間に筆を置くことを特徴とする子供用筆収納バック。
【請求項２】
前記書き機構は前記蓋板の中に設置される通し溝を含み、前記通し溝の下方には下に開口したプッシュチャンバが設けられ、前記プッシュチャンバの上方にはばねチャンバが連通して設けられ、前記ばねチャンバの中にはプッシュブロックがスライドできるように係合装着され、前記プッシュブロックの頂部端面と前記ばねチャンバの頂壁との間にはばねが装着され、前記ばねチャンバの後側には接続チャンバが連通して設けられ、前記接続チャンバの中には引掛りブロックがスライドできるように係合装着され、前記引掛りブロックが前記プッシュブロックと固定的に接続され、前記書きチャンバの頂壁の中には上に開口した引掛り溝が設けられ、前記引掛りブロックが前記引掛り溝の中に引っかかることができ、前記バッグ本体の前側端面には三つの引掛けブロックが固定的に装着され、前記引掛けブロックの前側端面と右側端面には前記引掛けブロックと係合されるゴム縄が固定的に装着され、これにより手動でプッシュブロックを上に押し動かし、引掛けブロックを連動させて上に移動させ、引掛りブロックが引掛り溝から滑り出て、蓋板を回すことによって、書きチャンバの中に置かれた付箋を取替えられ、ゴムによって引掛けブロックを引っ掛け、バッグを縛ることを特徴とする請求項１に記載の子供用筆収納バック。
【請求項３】
前記置き機構は前後の前記固定板の間に固定的に装着される接続布を含み、後側の前記固定板の前側端面には消しゴム箱が固定的に装着され、前記消しゴム箱の中には三つの消しゴムチャンバが設けられ、前記消しゴムチャンバの前側にはねじりばねチャンバが設けられ、前記消しゴムチャンバの後側内壁の中には前記ねじりばねの後側内壁を貫通する引きロッドが回転できるように係合装着され、前記引きロッドの前側端面にはねじりばねが固定的に装着され、前記引きロッドにおいて前記消しゴムチャンバの中には回転板が固定的に装着され、前記回転板の右側端面には引きブロックが固定的に装着され、前記支持箱の中には支持チャンバが設けられ、前記支持チャンバの中には三つの支持ブロックが固定的に取付けられ、支持ブロックによって短い筆を固定でき、支持孔と、位置制限穴と固定穴によって長い筆を固定でき、引きブロックを使って回転板を開け、消しゴムチャンバの中に消しゴムを置けることを特徴とする請求項１に記載の子供用筆収納バック。
【発明の詳細な説明】
【技術分野】
【０００１】
本発明は文房具分野に関し、具体的には子供用筆収納バックである。
【背景技術】
【０００２】
一般の子供用筆収納バッグは、特別に落書き区域を設置していないため、落書きされると美観とは言えなく、また、消しゴムを収納するところもないため、筆と混在して黒く塗られやすく、長い筆と短い筆を分けて収納する機能もなく、取りにくい上に筆を壊れやすい欠点がある。
【先行技術文献】
【特許文献】
【０００３】
【特許文献１】中国特許出願公開第107713267号明細書
【発明の概要】
【発明が解決しようとする課題】
【０００４】
本発明の目的は子供用筆収納バックを提供し、それは上記の現在の技術中の問題を解決できる。
【課題を解決するための手段】
【０００５】
本発明は以下の技術プランを通じて実現する：子供用筆収納バッグは、バッグ本体を含み、前記バッグ本体の前側端面には書き箱が固定的に装着され、前記書き箱の中には児童が書ける書き機構が設けられ、前記書き機構は前記書き箱の中に設置される回転チャンバを含み、前記書き箱の下方には書きチャンバが連通して設けられ、前記回転チャンバの左右内壁の間には回転ロッドが回転できるように係合装着され、前記回転ロッドには蓋板が固定的に装着され、前記書きチャンバの中には書ける付箋が置かれ、前記蓋板が付箋を覆い、前記バッグ本体の中にはバッグチャンバが設けられ、前記バッグチャンバの中には文房具を置ける置き機構が設けられ、前記置き機構は前記バッグチャンバの内壁に前後に対称的且つ固定的に装着される固定板を含み、前記固定板の中に三つの固定穴が設けられ、前記固定板の右側には六つの位置制限布が前後に対称的且つ固定的に装着され、前記位置制限布の中には位置制限穴が設けられ、前記位置制限布の右側には二つの支持箱が前後に対称的且つ固定的に装着され、前記支持箱の中には三つの支持穴が設けれ、前記支持穴と前記位置制限穴と前記固定穴との間に筆を置く。
【０００６】
優選的に、前記書き機構は前記蓋板の中に設置される通し溝を含み、前記通し溝の下方には下に開口したプッシュチャンバが設けられ、前記プッシュチャンバの上方にはばねチャンバが連通して設けられ、前記ばねチャンバの中にはプッシュブロックがスライドできるように係合装着され、前記プッシュブロックの頂部端面と前記ばねチャンバの頂壁との間にはばねが装着され、前記ばねチャンバの後側には接続チャンバが連通して設けられ、前記接続チャンバの中には引掛りブロックがスライドできるように係合装着され、前記引掛りブロックが前記プッシュブロックと固定的に接続され、前記書きチャンバの頂壁の中には上に開口した引掛り溝が設けられ、前記引掛りブロックが前記引掛り溝の中に引っかかることができ、前記バッグ本体の前側端面には三つの引掛けブロックが固定的に装着され、前記引掛けブロックの前側端面と右側端面には前記引掛けブロックと係合されるゴム縄が固定的に装着され、これにより手動でプッシュブロックを上に押し動かし、引掛けブロックを連動させて上に移動させ、引掛りブロックが引掛り溝から滑り出て、蓋板を回すことによって、書きチャンバの中に置かれた付箋を取替えられ、ゴムによって引掛けブロックを引っ掛け、バッグを縛る。
【０００７】
優選的に、前記置き機構は前後の前記固定板の間に固定的に装着される接続布を含み、後側の前記固定板の前側端面には消しゴム箱が固定的に装着され、前記消しゴム箱の中には三つの消しゴムチャンバが設けられ、前記消しゴムチャンバの前側にはねじりばねチャンバが設けられ、前記消しゴムチャンバの後側内壁の中には前記ねじりばねの後側内壁を貫通する引きロッドが回転できるように係合装着され、前記引きロッドの前側端面にはねじりばねが固定的に装着され、前記引きロッドにおいて前記消しゴムチャンバの中には回転板が固定的に装着され、前記回転板の右側端面には引きブロックが固定的に装着され、前記支持箱の中には支持チャンバが設けられ、前記支持チャンバの中には三つの支持ブロックが固定的に取付けられ、支持ブロックによって短い筆を固定でき、支持孔と、位置制限穴と固定穴によって長い筆を固定でき、引きブロックを使って回転板を開け、消しゴムチャンバの中に消しゴムを置ける。
【発明の効果】
【０００８】
本発明の有益効果は：本発明の書き機構に付箋を置け、子供は通し溝を通じて付箋に落書きでき、バッグが落書きされて見にくくなったり捨てられたりすることを防止し、付箋を入れ替えることができ、置き機構を設置することで消しゴムの収納空間を提供し、筆に塗られることを避ける上に、長い筆と短い筆を区分し、筆を一気に全部出しなくても短い筆を取られ、宣伝価値がある。
【図面の簡単な説明】
【０００９】
【図１】図1は本発明の構造模式図である；
【図２】図2は図１における「A-A」方向の断面構造見取り図である；
【図３】図3は図１における「B-B」方向の断面構造見取り図である；
【図４】図4は図２における「C-C」方向の断面構造見取り図である；
【図５】図5は図２における「D」方向の断面構造見取り図である；
【図６】図6は図４における「E-E」方向の断面構造見取り図である；
【発明を実施するための形態】
【００１０】
以下、図1-6を合わせて本発明を詳しく説明し、便利に叙述するように、現在は後文に出る方位を下記の通りに規定する：後文に出る上下左右前後方向は図1本体の投影関係の上下左右前後方向と一致する。
【００１１】
図1-6を参照し、本発明の子供用筆収納バッグは、バッグ本体13を含み、前記バッグ本体13の前側端面には書き箱20が固定的に装着され、前記書き箱20の中には児童が書ける書き機構70が設けられ、前記書き機構70は前記書き箱20の中に設置される回転チャンバ19を含み、前記書き箱20の下方には書きチャンバ16が連通して設けられ、前記回転チャンバ19の左右内壁の間には回転ロッド18が回転できるように係合装着され、前記回転ロッド18には蓋板17が固定的に装着され、前記書きチャンバ16の中には書ける付箋27が置かれ、前記蓋板17が付箋27を覆い、前記バッグ本体13の中にはバッグチャンバ45が設けられ、前記バッグチャンバ45の中には文房具を置ける置き機構80が設けられ、前記置き機構80は前記バッグチャンバ45の内壁に前後に対称的且つ固定的に装着される固定板24を含み、前記固定板24の中に三つの固定穴22が設けられ、前記固定板24の右側には六つの位置制限布33が前後に対称的且つ固定的に装着され、前記位置制限布33の中には位置制限穴32が設けられ、前記位置制限布33の右側には二つの支持箱34が前後に対称的且つ固定的に装着され、前記支持箱34の中には三つの支持穴37が設けれ、前記支持穴37と前記位置制限穴32と前記固定穴22との間に筆35を置く。
【００１２】
前記書き機構70は前記蓋板17の中に設置される通し溝14を含み、前記通し溝14の下方には下に開口したプッシュチャンバ15が設けられ、前記プッシュチャンバ15の上方にはばねチャンバ30が連通して設けられ、前記ばねチャンバ30の中にはプッシュブロック31がスライドできるように係合装着され、前記プッシュブロック31の頂部端面と前記ばねチャンバ30の頂壁との間にはばね29が装着され、前記ばねチャンバ30の後側には接続チャンバ28が連通して設けられ、前記接続チャンバ28の中には引掛りブロック26がスライドできるように係合装着され、前記引掛りブロック26が前記プッシュブロック31と固定的に接続され、前記書きチャンバ16の頂壁の中には上に開口した引掛り溝25が設けられ、前記引掛りブロック26が前記引掛り溝25の中に引っかかることができ、前記バッグ本体13の前側端面には三つの引掛けブロック12が固定的に装着され、前記引掛けブロック12の前側端面と右側端面には前記引掛けブロック12と係合されるゴム縄11が固定的に装着され、これにより手動でプッシュブロック31を上に押し動かし、引掛けブロック26を連動させて上に移動させ、引掛りブロック26が引掛り溝25から滑り出て、蓋板17を回すことによって、書きチャンバ16の中に置かれた付箋27を取替えられ、ゴムによって引掛けブロック12を引っ掛け、バッグを縛る。
【００１３】
前記置き機構80は前後の前記固定板24の間に固定的に装着される接続布21を含み、後側の前記固定板24の前側端面には消しゴム箱23が固定的に装着され、前記消しゴム箱23の中には三つの消しゴムチャンバ41が設けられ、前記消しゴムチャンバ41の前側にはねじりばねチャンバ42が設けられ、前記消しゴムチャンバ41の後側内壁の中には前記ねじりばね42の後側内壁を貫通する引きロッド44が回転できるように係合装着され、前記引きロッド44の前側端面にはねじりばね43が固定的に装着され、前記引きロッド44において前記消しゴムチャンバ41の中には回転板40が固定的に装着され、前記回転板40の右側端面には引きブロック39が固定的に装着され、前記支持箱34の中には支持チャンバ36が設けられ、前記支持チャンバ36の中には三つの支持ブロック38が固定的に取付けられ、支持ブロック38によって短い筆35を固定でき、支持孔37と、位置制限穴32と固定穴22によって長い筆35を固定でき、引きブロック39を使って回転板40を開け、消しゴムチャンバ41の中に消しゴムを置ける。
【００１４】
使用する時、手動でプッシュブロック31を上に押し動かし、引掛りブロック26を上に移動連動させ、引掛りブロック26が引掛り溝25から滑り出て、蓋板17を回すことによって書きチャンバ16の中に置かれた付箋27を入れ替えられ、支持ブロック38によって短い筆35を固定でき、支持孔37と、位置制限穴32と固定穴22によって長い筆35を固定でき、引きブロック39を使って回転板40を開け、消しゴムチャンバ41の中に消しゴムを置くことができ、ゴム縄11によって引掛けブロック12を引っ掛けてバッグを縛る。
【００１５】
本発明の有益効果は：本発明の書き機構に付箋を置け、子供は通し溝を通じて付箋に落書きでき、バッグが落書きされて見にくくなったり捨てられたりすることを防止し、付箋を入れ替えることができ、置き機構を設置することで消しゴムの収納空間を提供し、筆に塗られることを避ける上に、長い筆と短い筆を区分し、筆を一気に全部出しなくても短い筆を取られ、宣伝価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020137978.tif 000003
【図２】
2020137978.tif 000004
【図３】
2020137978.tif 000005
【図４】
2020137978.tif 000006
【図５】
2020137978.tif 000007
【図６】
2020137978.tif 000008
【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
バッグ本体を含み、前記バッグ本体の前側端面には書き箱が固定的に装着され、前記書き箱の中には児童が書ける書き機構が設けられ、前記書き機構は前記書き箱の中に設置される回転チャンバを含み、前記書き箱の下方には書きチャンバが連通して設けられ、前記回転チャンバの左右内壁の間には回転ロッドが回転できるように係合装着され、前記回転ロッドには蓋板が固定的に装着され、前記書きチャンバの中には書ける付箋が置かれ、前記蓋板が付箋を覆い、前記バッグ本体の中にはバッグチャンバが設けられ、前記バッグチャンバの中には文房具を置ける置き機構が設けられ、前記置き機構は前記バッグチャンバの内壁に前後に対称的且つ固定的に装着される固定板を含み、前記固定板の中に三つの固定穴が設けられ、前記固定板の右側には六つの位置制限布が前後に対称的且つ固定的に装着され、前記位置制限布の中には位置制限穴が設けられ、前記位置制限布の右側には二つの支持箱が前後に対称的且つ固定的に装着され、前記支持箱の中には三つの支持穴が設けれ、前記支持穴と前記位置制限穴と前記固定穴との間に筆を置き、
前記書き機構は前記蓋板の中に設置される通し溝を含み、前記通し溝の下方には下に開口したプッシュチャンバが設けられ、前記プッシュチャンバの上方にはばねチャンバが連通して設けられ、前記ばねチャンバの中にはプッシュブロックがスライドできるように係合装着され、前記プッシュブロックの頂部端面と前記ばねチャンバの頂壁との間にはばねが装着され、前記ばねチャンバの後側には接続チャンバが連通して設けられ、前記接続チャンバの中には引掛りブロックがスライドできるように係合装着され、前記引掛りブロックが前記プッシュブロックと固定的に接続され、前記書きチャンバの頂壁の中には上に開口した引掛り溝が設けられ、前記引掛りブロックが前記引掛り溝の中に引っかかることができ、前記バッグ本体の前側端面には三つの引掛けブロックが固定的に装着され、前記引掛けブロックの前側端面と右側端面には前記引掛けブロックと係合されるゴム縄が固定的に装着され、手動で前記プッシュブロックを上に押し動かし、前記引掛けブロックを連動させて上に移動させ、前記引掛りブロックが前記引掛り溝から滑り出て、前記蓋板を回すことによって、前記書きチャンバの中に置かれた前記付箋を取替えられ、前記ゴム縄によって前記引掛けブロックを引っ掛け、前記バッグを縛り、
前記置き機構は前後の前記固定板の間に固定的に装着される接続布を含み、後側の前記固定板の前側端面には消しゴム箱が固定的に装着され、前記消しゴム箱の中には三つの消しゴムチャンバが設けられ、前記消しゴムチャンバの前側にはねじりばねチャンバが設けられ、前記消しゴムチャンバの後側内壁の中には前記ねじりばねの後側内壁を貫通する引きロッドが回転できるように係合装着され、前記引きロッドの前側端面にはねじりばねが固定的に装着され、前記引きロッドにおいて前記消しゴムチャンバの中には回転板が固定的に装着され、前記回転板の右側端面には引きブロックが固定的に装着され、前記支持箱の中には支持チャンバが設けられ、前記支持チャンバの中には三つの支持ブロックが固定的に取付けられ、前記引きブロックを使って前記回転板を開け、前記消しゴムチャンバの中に消しゴムを置けることを特徴とする子供用筆収納バック。
【手続補正２】
【補正対象書類名】明細書
【補正対象項目名】全文
【補正方法】変更
【補正の内容】
【発明の詳細な説明】
【技術分野】
【０００１】
本発明は文房具分野に関し、具体的には子供用筆収納バックである。
【背景技術】
【０００２】
一般の子供用筆収納バッグは、特別に落書き区域を設置していないため、落書きされると美観とは言えなく、また、消しゴムを収納するところもないため、筆と混在して黒く塗られやすく、長い筆と短い筆を分けて収納する機能もなく、取りにくい上に筆を壊れやすい欠点がある。
【先行技術文献】
【特許文献】
【０００３】
【特許文献１】中国特許出願公開第107713267号明細書
【発明の概要】
【発明が解決しようとする課題】
【０００４】
本発明の目的は子供用筆収納バックを提供し、それは上記の現在の技術中の問題を解決できる。
【課題を解決するための手段】
【０００５】
本発明は以下の技術プランを通じて実現する：子供用筆収納バッグは、バッグ本体を含み、前記バッグ本体の前側端面には書き箱が固定的に装着され、前記書き箱の中には児童が書ける書き機構が設けられ、前記書き機構は前記書き箱の中に設置される回転チャンバを含み、前記書き箱の下方には書きチャンバが連通して設けられ、前記回転チャンバの左右内壁の間には回転ロッドが回転できるように係合装着され、前記回転ロッドには蓋板が固定的に装着され、前記書きチャンバの中には書ける付箋が置かれ、前記蓋板が付箋を覆い、前記バッグ本体の中にはバッグチャンバが設けられ、前記バッグチャンバの中には文房具を置ける置き機構が設けられ、前記置き機構は前記バッグチャンバの内壁に前後に対称的且つ固定的に装着される固定板を含み、前記固定板の中に三つの固定穴が設けられ、前記固定板の右側には六つの位置制限布が前後に対称的且つ固定的に装着され、前記位置制限布の中には位置制限穴が設けられ、前記位置制限布の右側には二つの支持箱が前後に対称的且つ固定的に装着され、前記支持箱の中には三つの支持穴が設けれ、前記支持穴と前記位置制限穴と前記固定穴との間に筆を置く。
【０００６】
優選的に、前記書き機構は前記蓋板の中に設置される通し溝を含み、前記通し溝の下方には下に開口したプッシュチャンバが設けられ、前記プッシュチャンバの上方にはばねチャンバが連通して設けられ、前記ばねチャンバの中にはプッシュブロックがスライドできるように係合装着され、前記プッシュブロックの頂部端面と前記ばねチャンバの頂壁との間にはばねが装着され、前記ばねチャンバの後側には接続チャンバが連通して設けられ、前記接続チャンバの中には引掛りブロックがスライドできるように係合装着され、前記引掛りブロックが前記プッシュブロックと固定的に接続され、前記書きチャンバの頂壁の中には上に開口した引掛り溝が設けられ、前記引掛りブロックが前記引掛り溝の中に引っかかることができ、前記バッグ本体の前側端面には三つの引掛けブロックが固定的に装着され、前記引掛けブロックの前側端面と右側端面には前記引掛けブロックと係合されるゴム縄が固定的に装着され、手動で前記プッシュブロックを上に押し動かし、前記引掛けブロックを連動させて上に移動させ、前記引掛りブロックが前記引掛り溝から滑り出て、前記蓋板を回すことによって、前記書きチャンバの中に置かれた前記付箋を取替えられ、前記ゴム縄によって前記引掛けブロックを引っ掛け、バッグを縛る。
【０００７】
優選的に、前記置き機構は前後の前記固定板の間に固定的に装着される接続布を含み、後側の前記固定板の前側端面には消しゴム箱が固定的に装着され、前記消しゴム箱の中には三つの消しゴムチャンバが設けられ、前記消しゴムチャンバの前側にはねじりばねチャンバが設けられ、前記消しゴムチャンバの後側内壁の中には前記ねじりばねの後側内壁を貫通する引きロッドが回転できるように係合装着され、前記引きロッドの前側端面にはねじりばねが固定的に装着され、前記引きロッドにおいて前記消しゴムチャンバの中には回転板が固定的に装着され、前記回転板の右側端面には引きブロックが固定的に装着され、前記支持箱の中には支持チャンバが設けられ、前記支持チャンバの中には三つの支持ブロックが固定的に取付けられ、前記引きブロックを使って前記回転板を開け、前記消しゴムチャンバの中に消しゴムを置ける。
【発明の効果】
【０００８】
本発明の有益効果は：本発明の書き機構に付箋を置け、子供は通し溝を通じて付箋に落書きでき、バッグが落書きされて見にくくなったり捨てられたりすることを防止し、付箋を入れ替えることができ、置き機構を設置することで消しゴムの収納空間を提供し、筆に塗られることを避ける上に、長い筆と短い筆を区分し、筆を一気に全部出しなくても短い筆を取られ、宣伝価値がある。
【図面の簡単な説明】
【０００９】
【図１】図1は本発明の構造模式図である；
【図２】図2は図１における「A-A」方向の断面構造見取り図である；
【図３】図3は図１における「B-B」方向の断面構造見取り図である；
【図４】図4は図２における「C-C」方向の断面構造見取り図である；
【図５】図5は図２における「D」方向の断面構造見取り図である；
【図６】図6は図４における「E-E」方向の断面構造見取り図である；
【発明を実施するための形態】
【００１０】
以下、図1-6を合わせて本発明を詳しく説明し、便利に叙述するように、現在は後文に出る方位を下記の通りに規定する：後文に出る上下左右前後方向は図1本体の投影関係の上下左右前後方向と一致する。
【００１１】
図1-6を参照し、本発明の子供用筆収納バッグは、バッグ本体13を含み、前記バッグ本体13の前側端面には書き箱20が固定的に装着され、前記書き箱20の中には児童が書ける書き機構70が設けられ、前記書き機構70は前記書き箱20の中に設置される回転チャンバ19を含み、前記書き箱20の下方には書きチャンバ16が連通して設けられ、前記回転チャンバ19の左右内壁の間には回転ロッド18が回転できるように係合装着され、前記回転ロッド18には蓋板17が固定的に装着され、前記書きチャンバ16の中には書ける付箋27が置かれ、前記蓋板17が付箋27を覆い、前記バッグ本体13の中にはバッグチャンバ45が設けられ、前記バッグチャンバ45の中には文房具を置ける置き機構80が設けられ、前記置き機構80は前記バッグチャンバ45の内壁に前後に対称的且つ固定的に装着される固定板24を含み、前記固定板24の中に三つの固定穴22が設けられ、前記固定板24の右側には六つの位置制限布33が前後に対称的且つ固定的に装着され、前記位置制限布33の中には位置制限穴32が設けられ、前記位置制限布33の右側には二つの支持箱34が前後に対称的且つ固定的に装着され、前記支持箱34の中には三つの支持穴37が設けれ、前記支持穴37と前記位置制限穴32と前記固定穴22との間に筆35を置く。
【００１２】
前記書き機構70は前記蓋板17の中に設置される通し溝14を含み、前記通し溝14の下方には下に開口したプッシュチャンバ15が設けられ、前記プッシュチャンバ15の上方にはばねチャンバ30が連通して設けられ、前記ばねチャンバ30の中にはプッシュブロック31がスライドできるように係合装着され、前記プッシュブロック31の頂部端面と前記ばねチャンバ30の頂壁との間にはばね29が装着され、前記ばねチャンバ30の後側には接続チャンバ28が連通して設けられ、前記接続チャンバ28の中には引掛りブロック26がスライドできるように係合装着され、前記引掛りブロック26が前記プッシュブロック31と固定的に接続され、前記書きチャンバ16の頂壁の中には上に開口した引掛り溝25が設けられ、前記引掛りブロック26が前記引掛り溝25の中に引っかかることができ、前記バッグ本体13の前側端面には三つの引掛けブロック12が固定的に装着され、前記引掛けブロック12の前側端面と右側端面には前記引掛けブロック12と係合されるゴム縄11が固定的に装着され、手動で前記プッシュブロック31を上に押し動かし、前記引掛けブロック26を連動させて上に移動させ、前記引掛りブロック26が前記引掛り溝25から滑り出て、前記蓋板17を回すことによって、前記書きチャンバ16の中に置かれた前記付箋27を取替えられ、前記ゴム縄によって前記引掛けブロック12を引っ掛け、前記バッグを縛る。
【００１３】
前記置き機構80は前後の前記固定板24の間に固定的に装着される接続布21を含み、後側の前記固定板24の前側端面には消しゴム箱23が固定的に装着され、前記消しゴム箱23の中には三つの消しゴムチャンバ41が設けられ、前記消しゴムチャンバ41の前側にはねじりばねチャンバ42が設けられ、前記消しゴムチャンバ41の後側内壁の中には前記ねじりばね42の後側内壁を貫通する引きロッド44が回転できるように係合装着され、前記引きロッド44の前側端面にはねじりばね43が固定的に装着され、前記引きロッド44において前記消しゴムチャンバ41の中には回転板40が固定的に装着され、前記回転板40の右側端面には引きブロック39が固定的に装着され、前記支持箱34の中には支持チャンバ36が設けられ、前記支持チャンバ36の中には三つの支持ブロック38が固定的に取付けられ、前記引きブロック39を使って前記回転板40を開け、前記消しゴムチャンバ41の中に消しゴムを置ける。
【００１４】
使用する時、手動でプッシュブロック31を上に押し動かし、引掛りブロック26を上に移動連動させ、引掛りブロック26が引掛り溝25から滑り出て、蓋板17を回すことによって書きチャンバ16の中に置かれた付箋27を入れ替えられ、支持ブロック38によって短い筆35を固定でき、支持孔37と、位置制限穴32と固定穴22によって長い筆35を固定でき、引きブロック39を使って回転板40を開け、消しゴムチャンバ41の中に消しゴムを置くことができ、ゴム縄11によって引掛けブロック12を引っ掛けてバッグを縛る。
【００１５】
本発明の有益効果は：本発明の書き機構に付箋を置け、子供は通し溝を通じて付箋に落書きでき、バッグが落書きされて見にくくなったり捨てられたりすることを防止し、付箋を入れ替えることができ、置き機構を設置することで消しゴムの収納空間を提供し、筆に塗られることを避ける上に、長い筆と短い筆を区分し、筆を一気に全部出しなくても短い筆を取られ、宣伝価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。